(57)【要約】【課題】インクを吐出して印刷するインクジェットヘッドを備えたインクジェット印刷装置において、簡単な機構で印刷品質の高い印刷を実現する。【解決手段】インクジェットヘッドとローラーとが搭載されたヘッドユニットと被印刷物を固定する固定ユニットとで構成され、ローラーと固定ユニットとが被印刷物に被印刷物を挟んで当接しヘッドユニットと固定ユニットとの相対移動によってインクジェットヘッドが被印刷物に対向して印刷するとき、インクジェットヘッドの移動方向前方にインクジェットヘッドとともにヘッドユニットに搭載されたローラーを有しローラーの移動方向後方側に被印刷物を固定ユニットに固定する手段を有することを特徴とする。【選択図】図１
2013244701.tif 000002
【特許請求の範囲】
【請求項１】
インクジェットヘッドとローラーとが搭載されたヘッドユニットと被印刷物を固定する固定ユニットとで構成され前記ローラーと前記固定ユニットとが前記被印刷物に前記被印刷物を挟んで当接し前記ヘッドユニットと前記固定ユニットとの相対移動によって前記インクジェットヘッドが前記被印刷物に対向して印刷するインクジェット印刷装置において、前記インクジェットヘッドの移動方向前方側に前記ローラーを配置し前記ローラーの移動方向後方側に前記被印刷物を前記固定ユニットに固定する手段を有することを特徴とするインクジェット印刷装置。
【請求項２】
請求項１のインクジェット印刷装置において、前記ローラーの回転軸が前記ヘッドユニットの移動方向に垂直な方向に対して傾きを有していることを特徴とするインクジェット印刷装置。
【請求項３】
インクジェットヘッドと第１のローラーと第２のローラーが搭載されたヘッドユニットと被印刷物を固定する固定ユニットとで構成され前記第１のローラーおよび前記第２のローラーと前記固定ユニットとが前記被印刷物に前記被印刷物を挟んで当接し前記ヘッドユニットと前記固定ユニットとの相対移動によって前記インクジェットヘッドが前記被印刷物に対向して印刷するインクジェット印刷装置において、前記インクジェットヘッドの移動方向前方側に前記第１のローラーを配置し前記インクジェットヘッドの移動方向側方に前記第２のローラーを配置し第１のローラーの移動方向後方側に前記被印刷物を前記固定ユニットに固定する手段を有することを特徴とするインクジェット印刷装置。
【請求項４】
請求項１のインクジェット印刷装置において、前記ローラーの移動方向前方側に前記被印刷物を前記固定ユニットに固定する手段を設けないことを特徴とするインクジェット印刷装置。
【請求項５】
請求項１のインクジェット印刷装置において、前記ローラーが前記被印刷物に当接して印刷を開始する前に前記ローラーの移動方向前方側と前記ローラーの移動方向後方側との両側で前記被印刷物を揃える工程を有することを特徴とするインクジェット印刷装置。
【請求項６】
インクジェットヘッドとローラーとが搭載されたヘッドユニットと被印刷物を固定する固定ユニットとで構成され前記ローラーと前記固定ユニットとが前記被印刷物に前記被印刷物を挟んで当接し前記ヘッドユニットと前記固定ユニットとの相対移動によって前記インクジェットヘッドが前記被印刷物に対向して印刷するインクジェット印刷装置において、前記インクジェットヘッドの移動方向前方側に前記ローラーを配置し前記ローラーの移動方向前方側と前記ローラーの移動方向後方側との両側に前記被印刷物を前記固定ユニットに固定する手段を有し、前記ローラーが前記被印刷物に当接して印刷を開始する前に前記ローラーの移動方向前方側と前記ローラーの移動方向後方側との両側で前記被印刷物を引っ張って前記被印刷物を前記ローラーの移動方向前方側および後方側の両側に前記被印刷物を前記固定ユニットに固定する工程を有することを特徴とするインクジェット印刷装置。
【発明の詳細な説明】
【技術分野】
【０００１】
本発明は、インクを吐出して印刷するインクジェットヘッドを備えたインクジェット印刷装置に関するものである。
【背景技術】
【０００２】
従来より、インクを吐出して印刷するインクジェットヘッドを備えたインクジェット印刷装置の例として、例えば図６に示すようなものがあった。図６に示すように、紙送りローラー１１とプラテン１２とインクジェットヘッド１とから構成される。被印刷物８は紙送りローラー１１に挟持され紙送りローラー１１とプラテン１２との回転とともに搬送されインクジェットヘッド１によって順次印刷される。
【０００３】
しかしながら、このインクジェット印刷装置では、被印刷物８の反りなどによってインクジェットヘッド１と被印刷物８との間隔が変化するため、インクジェットヘッド１から吐出したインクを被印刷物８の所望の位置に付着することができず品質の高い印刷を実現できない問題があった。
【０００４】
またインクを吐出して印刷するインクジェットヘッドを備えた別のインクジェット印刷装置として、例えば図７に示すようなものがあった。図７に示すように、紙送りローラー１１と排出ローラー１３と搬送ベルト１４と搬送ベルト送りローラー１５とインクジェットヘッド１とから構成される。被印刷物８は紙送りローラー１１に挟持され紙送りローラー１１の回転とともに搬送ベルト１４に搬送され、さらに搬送ベルト１４によって荷台搬送されインクジェットヘッド１によって順次印刷されたあと排出ローラー１３によって排出される。
【０００５】
しかしながら、このインクジェット印刷装置では、被印刷物８の反りなどによってインクジェットヘッド１と被印刷物８との間隔が変化するため、インクジェットヘッド１から吐出したインクを被印刷物８の所望の位置に付着することができず品質の高い印刷を実現できない問題があった。
【０００６】
またインクを吐出して印刷するインクジェットヘッドを備えた別のインクジェット印刷装置として、例えば図８に示すようなものがあった。図８に示すように、第１の搬送ローラー１６と第２の搬送ローラー１７とインクジェットヘッド１とから構成される。被印刷物８は第１の搬送ローラー１６と第２の搬送ローラー１７とで張った状態を保ちながら第１の搬送ローラー１６と第２の搬送ローラー１７の回転とともに搬送されインクジェットヘッド１によって順次印刷される。
【０００７】
しかしながら、このインクジェット印刷装置では、被印刷物８として連続して繰り出される例えばロール紙以外のものを用いることができない問題があった。
【０００８】
またインクを吐出して印刷するインクジェットヘッドを備えた別のインクジェット印刷装置として、例えば特許２５２４１３３号があった。図９に示すように、プラテン１２とインクジェットヘッド１と移動台３とキャリジ４とガイドレール５と第１のローラー１８と第２のローラー１９とから構成される。被印刷物８はプラテン１２と第１のローラー１８および第２のローラー１９とで挟持されインクジェットヘッド１によるプラテン１２の軸方向に沿った往復移動によって印字される。また被印刷物８はプラテン１２の回転とともに順次搬送される。第１のローラー１８および第２のローラー１９はインクジェットヘッド１と同様に移動台３に搭載されており移動台３はキャリジ４にばね付勢されているため、第１のローラー１８および第２のローラー１９が被印刷物８に常に当接することによって被印刷物８とインクジェットヘッド１との間隔を第１のローラー１８および第２のローラー１９とインクジェットヘッド１との配置の差に常に保つことができる。
【０００９】
しかしながら、このインクジェット印刷装置では、印刷の開始時に第１のローラー１８および第２のローラー１９を被印刷物８に当接するとき、第１０図に示すように第１のローラー１８と第２のローラー１９と間で被印刷物８に反りがあって被印刷物８とプラテン１２との間に隙間があった場合、インクジェットヘッド１と被印刷物８との間隔が不安定になるためインクジェットヘッド１から吐出したインクを被印刷物８の所望の位置に付着することができず品質の高い印刷を実現できない問題があった。これを解決するために、第１１図に示すように印刷の開始時に被印刷物８の端において第１のローラー１８だけが当接するようにした場合においても、キャリジ４の移動による第１のローラー１８の移動とともに被印刷物８の端に反りが生じることがあり、第２のローラー１９が被印刷物８に当接するときに被印刷物８とプラテン１２との間に隙間が発生してインクジェットヘッド１と被印刷物８との間隔が不安定になるためインクジェットヘッド１から吐出したインクを被印刷物８の所望の位置に付着することができず品質の高い印刷を実現できない問題があった。
【先行技術文献】
【特許文献】
【００１０】
【特許文献１】特許２４５２４１３３号
【発明の概要】
【発明が解決しようとする課題】
【００１１】
解決しようとする問題点は、インクを吐出して印刷するインクジェットヘッドを備えたインクジェット印刷装置において、印刷の品質が低い点である。
【課題を解決するための手段】
【００１２】
本発明は、インクを吐出して印刷するインクジェットヘッドを備えたインクジェット印刷装置において、前記のような従来例における問題点を解消するために、インクジェットヘッドとローラーとが搭載されたヘッドユニットと被印刷物を固定する固定ユニットとで構成され、ローラーと固定ユニットとが被印刷物に被印刷物を挟んで当接しヘッドユニットと固定ユニットとの相対移動によってインクジェットヘッドが被印刷物に対向して印刷するとき、インクジェットヘッドの移動方向前方にインクジェットヘッドとともにヘッドユニットに搭載されたローラーを有しローラーの移動方向後方側に被印刷物を固定ユニットに固定する手段を有することを特徴とする。
【００１３】
本発明は、好ましくは、ローラーを可能な限り被印刷物が固定ユニットに固定された場所に近付けて被印刷物に当接して印刷を開始することを特徴とする。
【００１４】
本発明は、好ましくは、ローラーの回転軸がヘッドユニットの移動方向に垂直な方向に対して傾きを有していることを特徴とする。
【００１５】
本発明は、好ましくは、インクジェットヘッドの移動方向前方側に第１のローラーを配置しインクジェットヘッドの移動方向側方に第２のローラーを配置することを特徴とする。
【００１６】
本発明は、好ましくは、ローラーの移動方向前方側に被印刷物を固定ユニットに固定する手段を設けないことを特徴とする。
【００１７】
本発明は、好ましくは、ローラーが被印刷物に当接して印刷を開始する前にローラーの移動方向前方側と前記ローラーの移動方向後方側との両側で被印刷物を揃える工程を有することを特徴とする。
【００１８】
本発明は、好ましくは、インクジェットヘッドの移動方向前方側にローラーを配置しローラーの移動方向前方側とローラーの移動方向後方側との両側に被印刷物を固定ユニットに固定する手段を有し、ローラーが被印刷物に当接して印刷を開始する前にローラーの移動方向前方側とローラーの移動方向後方側との両側で被印刷物を引っ張って被印刷物をローラーの移動方向前方側および後方側の両側に被印刷物を固定ユニットに固定する工程を有することを特徴とする。
【発明の効果】
【００１９】
以上述べたように、本発明に係るインクジェット印刷装置では、インクジェットヘッドとローラーとが搭載されたヘッドユニットと被印刷物を固定する固定ユニットとで構成され、ローラーと固定ユニットとが被印刷物に被印刷物を挟んで当接しヘッドユニットと固定ユニットとの相対移動によってインクジェットヘッドが被印刷物に対向して印刷するとき、インクジェットヘッドの移動方向前方にインクジェットヘッドとともにヘッドユニットに搭載されたローラーを有しローラーの移動方向後方側に被印刷物を固定ユニットに固定する手段を有することによって、固定ユニットに対して被印刷物をローラーと固定手段によって常に隙間なく張り付けた状態で印刷するため、被印刷物とインクジェットヘッドとの間隔をローラーとインクジェットヘッドとの配置の差に常に安定して保つことができ高い印刷品質を有するインクジェット印刷装置を実現できる。また、好ましい様態としてローラーを可能な限り被印刷物が固定ユニットに固定された場所に近付けて被印刷物に当接して印刷を開始することによって、印刷開始時にローラーと固定手段との間に発生する被印刷物と固定ユニットとの間の隙間を限りなくゼロにすることができ、ヘッドユニットが移動して順次印刷する間も固定ユニットに対して被印刷物をローラーと固定手段によって常に隙間なく張り付けた状態を保つことができるため、被印刷物とインクジェットヘッドとの間隔をローラーとインクジェットヘッドとの配置の差に常に安定して保つことができ高い印刷品質を有するインクジェット印刷装置を実現できる。さらに、好ましい様態としてローラーの回転軸がヘッドユニットの移動方向に垂直な方向に対して傾きを有していることによって、ローラーの移動方向前方における被印刷物と固定ユニットとの間の気体をローラーの移動方向前方側に容易に逃がすことが可能になってローラーと固定手段との間において被印刷物と固定ユニットとの間に気体が入り込むことを回避できヘッドユニットが移動して順次印刷する間固定ユニットに対して被印刷物をローラーと固定手段によって常に隙間なく張り付けた状態を保つことができるため、被印刷物とインクジェットヘッドとの間隔をローラーとインクジェットヘッドとの配置の差に常に安定して保つことができ高い印刷品質を有するインクジェット印刷装置を実現できる。さらに、好ましい様態として、インクジェットヘッドの移動方向前方側に第１のローラーを配置しインクジェットヘッドの移動方向側方に第２のローラーを配置することによって、インクジェットヘッドが被印刷物の端近くまで接近して第１のローラーが被印刷物の外側に外れた場合においても第２のローラーはインクジェットヘッドの移動方向側方で被印刷物に当接しているため被印刷物とインクジェットヘッドとの間隔を安定に保つことができ高い印刷品質を有するインクジェット印刷装置を実現できる。さらに、好ましい様態として、ローラーの移動方向前方側に被印刷物を固定ユニットに固定する手段を設けないことによって、ローラーの移動方向前方における被印刷物と固定ユニットとの間の気体をローラーの移動方向前方側に容易に逃がすことが可能になってローラーと固定手段との間において被印刷物と固定ユニットとの間に気体が入り込むことを回避できヘッドユニットが移動して順次印刷する間固定ユニットに対して被印刷物をローラーと固定手段によって常に隙間なく張り付けた状態を保つことができるため、被印刷物とインクジェットヘッドとの間隔をローラーとインクジェットヘッドとの配置の差に常に安定して保つことができ高い印刷品質を有するインクジェット印刷装置を実現できる。さらに、好ましい様態として、ローラーが被印刷物に当接して印刷を開始する前にローラーの移動方向前方側とローラーの移動方向後方側との両側で被印刷物を揃える工程を有することによって、被印刷物とインクジェットヘッドとの位置関係を適切に定めることができるため高い印刷品質を有するインクジェット印刷装置を実現できる。さらに、好ましい様態として、インクジェットヘッドの移動方向前方側にローラーを配置しローラーの移動方向前方側とローラーの移動方向後方側との両側に被印刷物を固定ユニットに固定する手段を有し、ローラーが被印刷物に当接して印刷を開始する前にローラーの移動方向前方側とローラーの移動方向後方側との両側で被印刷物を引っ張って被印刷物をローラーの移動方向前方側および後方側の両側に被印刷物を固定ユニットに固定する工程を有することによって、ヘッドユニットが移動して順次印刷する間固定ユニットに対して被印刷物をローラーと固定手段によって常に隙間なく張り付けた状態を保つことができるため、被印刷物とインクジェットヘッドとの間隔をローラーとインクジェットヘッドとの配置の差に常に安定して保つことができ高い印刷品質を有するインクジェット印刷装置を実現できる。
【００２０】
以上述べたように、本発明に係るインクジェット印刷装置では、簡単な機構で高い印刷品質を有するインクジェット印刷装置を提供することができる。
【図面の簡単な説明】
【００２１】
【図１】図１は本発明のインクジェット印刷装置の実施例１を示す断面図である。（実施例１）
【図２】図２は本発明のインクジェット印刷装置の実施例１の第１の工程を示す断面図である。（実施例１）
【図３】図３は本発明のインクジェット印刷装置の実施例２を示す上面図である。（実施例２）
【図４】図４は本発明のインクジェット印刷装置の実施例３を示す上面図である。（実施例３）
【図５】図５は本発明のインクジェット印刷装置の実施例３の動作を示す上面図である。（実施例３）
【図６】図６は従来のインクジェット印刷装置を示す断面図である。（従来例１）
【図７】図７は従来の別のインクジェット印刷装置を示す断面図である。（従来例２）
【図８】図８は従来のさらに別のインクジェット印刷装置を示す断面図である。（従来例３）
【図９】図９は従来のさらに別のインクジェット印刷装置を示す斜視図である。（従来例４）
【図１０】図１０は従来例４の問題点を示す断面図である。（従来例４）
【図１１】図１１は従来例４の問題点を示す別の断面図である。（従来例４）
【発明を実施するための形態】
【００２２】
インクを吐出して印刷するインクジェットヘッドを備えたインクジェット印刷装置において、印刷品質の高い印刷を実現した。以下、本発明の実施例について、添付図面を参照して説明する。
【実施例１】
【００２３】
図１は、本発明の第１の実施例に係るインクジェット印刷装置の実施例１を示す断面図である。図１に示すように、本発明のインクジェット印刷装置において、インクジェットヘッド１とローラー２とが搭載された移動台３とキャリジ４とガイドレール５と固定ユニット６と固定手段７とから構成される。移動台３はキャリジ４にばね付勢されておりキャリジ４がガイドレール５に沿って移動して被印刷物８に印刷される。このとき、インクジェットヘッド１とローラー２とから構成されるヘッドユニット９の移動によってローラー２と固定ユニット６とが被印刷物８に被印刷物８を挟んで当接しヘッドユニット９と固定ユニット６との相対移動によってインクジェットヘッドが被印刷物に対向して印刷される。
【００２４】
図２に示すように、まず被印刷物８の端を固定ユニット６に固定手段７によって固定したあとガイドレール５が下方に移動してローラー２と固定ユニット６とが被印刷物８に被印刷物８を挟んで当接する。ローラー２を搭載している移動台３はキャリジ４にばね付勢されているため適度な力がかかった状態でローラー２を被印刷物８に当接することができインクジェットヘッド１と被印刷物８との間隔を移動台３に搭載されたインクジェットヘッド１とローラー２との高さ方向の配置の差に安定に保つことができる。このとき、固定手段７によって被印刷物８が固定されている位置とローラー２が被印刷物８に当接する位置とは限りなく近い状態であるためローラー２と固定手段７との間に発生する被印刷物８と固定ユニット６との間の隙間を限りなくゼロにすることができる。次に、キャリジ４の移動とともにヘッドユニット９延いてはインクジェットヘッド１とローラー２とが移動する。このとき、ローラー２はローラー２の移動方向前方における被印刷物８と固定ユニット６との間の気体をローラー２の移動方向前方側に逃しさらにローラー２と固定手段７と被印刷物８を引っ張りながら移動するため、ローラー２と固定手段７との間において被印刷物８と固定ユニット６との間に気体が入り込むことを回避してでき被印刷物８とインクジェットヘッド１との間隔を常に安定して保つことができる。
【００２５】
以上から、インクジェット印刷装置において、インクジェットヘッド１の移動方向前方にインクジェットヘッド１とともにヘッドユニット９に搭載されたローラー２を有しローラー２の移動方向後方側に被印刷物８を固定ユニット６に固定する手段７を有することによって、固定ユニット６に対して被印刷物８をローラー２と固定手段７によって常に隙間なく張り付けた状態で印刷するため、被印刷物８とインクジェットヘッド１との間隔を移動台３に搭載されたインクジェットヘッド１とローラー２との高さ方向の配置の差に安定して保つことができ高い印刷品質を有するインクジェット印刷装置を実現できる。
【００２６】
実施例１において、ローラー２の移動方向前方側に被印刷物８を固定ユニット６に固定する手段を設けないことによって、ローラー２の移動方向前方における被印刷物８と固定ユニット６との間の気体をローラー２の移動方向前方側に容易に逃がすことが可能になってヘッドユニット９が移動して順次印刷する間固定ユニット６に対して被印刷物８をローラー２と固定手段７によって常に隙間なく張り付けた状態を保つことができるため、被印刷物８とインクジェットヘッド１との間隔を移動台３に搭載されたインクジェットヘッド１とローラー２との高さ方向の配置の差により安定して保つことができより高い印刷品質を有するインクジェット印刷装置を実現できる。
【００２７】
実施例１において、好ましくは、ローラー２が被印刷物８に当接して印刷を開始する前にローラー２の移動方向前方側と前記ローラーの移動方向後方側との両側で被印刷物を揃える工程を有することによって被印刷物８とインクジェットヘッド１との位置関係を適切に定めることができるため高い印刷品質を有するインクジェット印刷装置を実現できる。
【００２８】
実施例１において、ローラー２が被印刷物８に当接して印刷を開始する前にローラー２の移動方向前方側とローラー２の移動方向後方側との両側で被印刷物８を引っ張って被印刷物８をローラー２の移動方向前方側および後方側の両側に被印刷物８を固定ユニット６に固定する工程を有する場合も被印刷物８とインクジェットヘッド１との位置関係を適切に定めることができるため高い印刷品質を有するインクジェット印刷装置を実現できる。
【実施例２】
【００２９】
図３は、本発明の第２の実施例に係るインクジェット印刷装置の実施例２を示す上面図である。図３に示すように、印刷方向に対してインクジェットヘッド１の移動方向前方に移動台３に搭載したローラー２の軸を移動方向に垂直な方向に対して傾きを有するように配置されている。そのため、ローラー２の移動方向前方における被印刷物８と固定ユニット６との間の気体を図３の左方向の小さい領域から順次ローラー２の移動方向前方側に逃すことができる。
【００３０】
以上から、ローラー２の移動方向前方における被印刷物８と固定ユニット６との間の気体をローラー２の移動方向前方側に容易に逃がすことが可能になってローラー２と固定手段７との間において被印刷物８と固定ユニット６との間に気体が入り込むことを回避できヘッドユニット９が移動して順次印刷する間固定ユニット６に対して被印刷物８をローラー２と固定手段７によって常に隙間なく張り付けた状態を保つことができるため、被印刷物８とインクジェットヘッド１との間隔を移動台３に搭載されたインクジェットヘッド１とローラー２との高さ方向の配置の差に安定して保つことができ高い印刷品質を有するインクジェット印刷装置を実現できる。
【実施例３】
【００３１】
図４は、本発明の第３の実施例に係るインクジェット印刷装置の実施例３を示す上面図である。図４に示すように、印刷方向に対してインクジェットヘッド１の移動方向前方側に第１のローラー２を印刷方向に対してインクジェットヘッド１の移動方向側方に第２のローラー１０を移動台３に搭載している。
【００３２】
図５は、インクジェットヘッド１が被印刷物８の端近くまで接近して第１のローラー２が被印刷物８の外側に外れた場合を示している。図５に示すように、第１のローラー２が被印刷物８の外側に外れた場合においても第２のローラー１０はインクジェットヘッド１の移動方向側方で被印刷物８に当接している。
【００３３】
以上から、インクジェットヘッド１が被印刷物８の端近くまで接近して第１のローラー２が被印刷物８の外側に外れた場合においても第２のローラー１０はインクジェットヘッド１の移動方向側方で被印刷物８に当接しているため被印刷物８とインクジェットヘッド１との間隔を安定に保つことができ高い印刷品質を有するインクジェット印刷装置を実現できる。
【産業上の利用可能性】
【００３４】
インクを吐出して印刷するインクジェットヘッドを備えたインクジェット印刷の用途全般に適用できる。
【符号の説明】
【００３５】
１    インクジェットヘッド
２    ローラー
３    移動台
４    キャリジ
５    ガイドレール
６    固定ユニット
７    固定手段
８    被印刷物
９    ヘッドユニット
１０  第２のローラー
１１  紙送りローラー
１２  プラテン
１３  排出ローラー
１４  搬送ベルト
１５  搬送ベルト送りローラー
１６  第１の搬送ローラー
１７  第２の搬送ローラー
１８  第１のローラー
１９  第２のローラー
【図１】
2013244701.tif 000003
【図２】
2013244701.tif 000004
【図３】
2013244701.tif 000005
【図４】
2013244701.tif 000006
【図５】
2013244701.tif 000007
【図６】
2013244701.tif 000008
【図７】
2013244701.tif 000009
【図８】
2013244701.tif 000010
【図９】
2013244701.tif 000011
【図１０】
2013244701.tif 000012
【図１１】
2013244701.tif 000013